(57)【要約】【課題】複数のビデオカメラとスイッチャーとで構成した有線方式の映像システムを，ライブ放送等で利用可能な機動性に富んだ無線方式の映像システムを可能とする。【解決手段】上記課題を解決するため本発明では，スイッチャーのタリー出力の変換インターフェースと，変換インターフェースの情報を送・受信する第一の無線通信手段からなる親機と，複数台のビデオカメラと，親機と変換インターフェースの情報を送・受信する第二の無線通信手段と情報表示装置からなる複数台の子機とで構成し，スイッチャーが選択したビデオカメラに対応した子機の情報表示装置の表示部に表示（ＬＥＤの点灯等）することをとを特徴としたビデオカメラの無線式選択情報表示システムを提供する。【選択図】        図３
2005012388.tif 000002
【特許請求の範囲】
【請求項１】
スイッチャーのタリー出力の変換インターフェースと，前記変換インターフェースの情報を送・受信する第一の無線通信手段からなる親機と，複数台のビデオカメラと，前記親機と変換インターフェースの情報を送・受信する第二の無線通信手段と情報表示装置からなる複数台の子機とで構成し，前記スイッチャーが選択したビデオカメラの情報に基づき，選択された前記子機の情報表示装置の表示部に表示することを特徴としたビデオカメラの無線式選択情報表示システム。
【請求項２】
請求項１に記載の情報表示装置の表示部（ＬＥＤチップ等）が，前記ビデオカメラのファインダーフード及びモニタの近傍に取り付け可能な設置手段を有するビデオカメラの無線式選択情報表示システム。
【請求項３】
請求項１に記載のビデオカメラの無線式選択情報表示システムにおいて，子機の情報表示装置の表示部（ＬＥＤ等）をビデオカメラの操作者が容易に見ることが出来る手段（ヘッドセットや眼鏡等）に装着し，ビデオカメラの操作者とビデオカメラの割付けを設定できる手段を有し，親機はビデオカメラの操作者とビデオカメラの割付け設定要求（ＬＥＤの点滅等）を子機に要求し，子機はビデオカメラの操作者がビデオカメラの割付け操作を実施した情報を親機に送信し，スイッチャーが選択したビデオカメラに対応した子機の情報表示装置の表示部に表示（ＬＥＤの点灯等）することを特徴としたビデオカメラの無線式選択情報表示システム。
【発明の詳細な説明】
【０００１】
【発明が属する技術分野】
本発明は複数のビデオカメラを使用して撮影するシステムに係り，特にスイッチャーが選択したビデオカメラの情報（タリー出力の状態）を，無線通信手段を用いて，スイッチャーの選択情報をビデオカメラの操作者が容易に解るように表示するシステムに関する。
【０００２】
【従来の技術】
複数のビデオカメラを使用して撮影する従来の有線式システムの概略を図１に示す。本例では３台のビデオカメラとスイッチャーの組み合わせを示しており，１Ａ，１Ｂ及び１Ｃはそれぞれビデオカメラ「１」，「２」及び「３」を示す。また２Ａ，２Ｂ及び２Ｃはそれぞれ情報表示装置「１」，「２」及び「３」を示す。３はスイッチャーを，４はビデオケーブルを示し，ビデオカメラ１Ａ，１Ｂ及び１Ｃとスイッチャー３間がそれぞれ接続されている。５はスイッチャー３のタリー出力を，６は接続ケーブルを示し，情報表示装置２Ａ，２Ｂ及び２Ｃとタリー出力５間がそれぞれ接続されている。
【０００３】
上記のシステムにおいて，スイッチャー３の操作者が３台のビデオカメラの映像を切り換えて放映又はビデオ収録などを行う場合について説明する。スイッチャー３の操作者がビデオカメラの映像を切り換えた情報は，スイッチャー３のタリー出力５からそれぞれのビデオカメラと一対の情報表示装置に接続ケーブル６を介して伝達される。したがって，スイッチャー３の操作者がビデオカメラ「１」を選択すると，スイッチャー３の接続されたモニタ（図示せず）にビデオカメラ「１」の映像等が表示され，ビデオカメラ「１」１Ａと一対の情報表示装置２Ａの表示部（ＬＥＤ等）が点灯し，ビデオカメラ「１」の操作者は自分が担当しているビデオカメラの映像が放映又はビデオ収録されていることを知ることが出来るシステムである。
【０００４】
複数のビデオカメラを使用して撮影するシステムは，図１に示すようにスイッチャーとビデオカメラが有線で接続された構成が一般的である。本システムでは有線式であるため，スイッチャーと複数のビデオカメラ間をビデオケーブルやタリー接続ケーブル等で接続する必要があり，ビデオカメラの台数が増加するにつれて，ケーブル類も増加しこれらの処理など容易ではない。
【０００５】
最近，ライブ放送等においては，スイッチャーと複数のビデオカメラ間をビデオケーブルのみで接続し，タリー出力は使用せずに，無線インカムシステムの利用が行われている。インカムシステムではスイッチャーの操作者とビデオカメラの操作者がお互いに無線インカムシステムを用い，音声で会話しながらスイッチャーの操作者がビデオカメラの選択情報などを伝達する。したがって，本システムは，前述したような接続ケーブル類の増加は軽減でき利点がある。
【０００６】
【発明が解決しようとする課題】
本発明では，従来一般に用いられている有線式のシステムは，複数のビデオカメラとスイッチャーがビデオケーブル及び制御信号ケーブルで接続されており，システム価格が高価である。更に有線式であるためにライブ放送等で使用するにには機動性に欠ける短所がある。なお，ライブ放送等に対応するために最近では無線インカムシステムも利用などが行われているが，ライブ放送等の場合はビデオカメラを使用している周囲の音量が非常に大きく，ビデオカメラ使用者は周囲の雑音で音声を聞き取りにくいことがしばしばである。
【０００７】
【課題を解決するための手段】
上記課題を解決するために本発明では，スイッチャーのタリー出力の変換インターフェースと，変換インターフェースの情報を送・受信する第一の無線通信手段からなる親機と，複数台のビデオカメラと，親機と変換インターフェースの情報を送・受信する第二の無線通信手段と情報表示装置からなる複数台の子機とで構成し，スイッチャーが選択したビデオカメラに対応した子機の情報表示装置の表示部に表示（ＬＥＤの点灯等）することを特徴としたビデオカメラの無線式選択情報表示システムを提供する。
【０００８】
【発明の実施の形態】
本発明の一実施例を図２に示す。なお，図１で説明した機能と同一のものには同一番号を付してる。図中，情報表示装置２Ａ，２Ｂ及び２Ｃと送受信機１０Ａ，１０Ｂ及び１０Ｃ（１１はそれぞれのアンテナ）からなる子機は，ビデオカメラ「１」；１Ａ，「２」；１Ｂ及び「３」；１Ｃにそれぞれ接続されている。本構成では３台のビデオカメラの例を示している。
【０００９】
スイッチャー３とビデオカメラ１Ａ〜１Ｃ間はビデオケーブル４で互いに接続されている。一方，スイッチャー３のタリー出力５には，変換インターフェース７と送受信機８（９はアンテナ）からなる親機が接続されており，前述した子機間で通信を行い，スイッチャー３で切り換えたビデオカメラの情報（タリー出力）を親機の送受信機８から子機の送受信機１０に送信する。
【００１０】
図３は図２に示した親機及び子機の詳細ブロック図の一例を示す。図中１２で示す親機は変換インターフェース７とスペクトラム拡散方式の送受信機８（アンテナ９）で構成している。変換インターフェース７はスイッチャー３でビデオカメラを選択したタリー出力５と送受信機８間のインターフェースをおこなうためにあり，▲１▼タリー出力のピンアサイン変換，▲２▼ビデオカメラとビデオカメラ操作者の対応変換などの機能を有し，それぞれの目的に応じて使用することが出来る。
【００１１】
図中１３で示す子機は，表示制御部２Ａと表示部２Ｂからなる情報表示装置２と，スペクトラム拡散方式の送受信機１０（アンテナ１１）で構成している。表示制御部２Ａは親機のスペクトラム拡散方式の送受信機８から送信された情報を基に表示部２Ｂの表示を制御する機能を有している。
【００１２】
図４は本発明のスペクトラム拡散方式の送受信機を使用時の周波数帯域を小電力通信周波数スペクトルとともに示した図である。図中，１４は小電力通信周波数スペクトルを，１５はスペクトル拡散方式の周波数スペクトル示している。図示したようにスペクトラム拡散方式はデータを広帯域に拡散するために，小電力無線通信に比べて耐ノイズ性に優れており，かつ他システムへの妨害を与えにくく，多チャンネル通信が可能な特長を有している。したがって，ライブ放送などで複数のビデオカメラを使用したシステムには，他システムへの妨害を与えにくく，かつ耐ノイズ性に優れた方式である。
【００１３】
図５は図２に示した本発明の概要を説明するフローチャートを示す。図２に示す変換インターフェース７と送受信機８（９はアンテナ）からなる親機のフローを図５の左側に，情報表示装置２Ａ，２Ｂ及び２Ｃと送受信機１０Ａ，１０Ｂ及び１０Ｃ（１１はそれぞれのアンテナ）からなる子機のフローを右側にそれぞれ示す。
【００１４】
図２に示した構成において，ビデオカメラ「１」１Ａをスイッチャーの操作者が選択した場合について説明する。ビデオカメラ「１」１Ａが選択されると，図５のＡ）でビデオカメラ「１」１Ａ選択情報が，変換インターフェース７を経由したタリー出力情報としてメモリ（図示せず）に記憶される。Ｂ）ではタリー出力情報と前記メモリ情報を比較し，情報に変化があった場合はＣ）で変換インターフェース７を経由したタリー出力情報を親機の送受信機８から，子機に送信する。Ｄ）では子機からの「ＡＣＫ」の有無を判別し，「ＡＣＫ」を受信すると，Ｅ）で子機に「ＡＣＫ」を送信する。
【００１５】
子機では，図５のＦ）で親機からデータ受信を受信すると，Ｇ）で親機の「ＡＣＫ」を判定し，「ＡＣＫ」がない場合，Ｈ）で親機から送信されたデータを解析する。Ｉ）で親機から送信されたデータに基づきデータ（ビデオカメラ「１」を選択）をセットする，Ｊ）でビデオカメラ「１」１Ａに設置された情報表示装置２Ａの表示部（ＬＥＤ等）を点灯させる，Ｋ）で親機に「ＡＣＫ］信号を送信する。以上が図２に示したシステムの動作概要である。なお，表示部（ＬＥＤ等）のみビデオカメラのファインダの近辺（例えば，ファインダのフードやモニタの周辺にＬＥＤチップを貼付するなど）に取り付けると，使い勝手が更に向上する。
【００１６】
上記した図２に示した実施例では，スイッチャー３とビデオカメラ１Ａ〜１Ｃ間はビデオケーブル４でお互いに接続された有線方式で，タリー出力情報は無線方式を，ビデオカメラの選択情報を表示する情報表示装置の表示部がカメラに設置されたシステムについて説明したが，次にビデオカメラの選択情報を表示する情報表示装置をビデオカメラ操作者（カメラマン）が携帯した事例について説明する。
【００１７】
図６は変換インターフェース７の詳細説明ブロック図である。図中，７Ａはタリー出力のピンアサイン変換器を，７Ｂはビデオカメラとビデオカメラ操作者の対応変換器（カメラ番号／カメラマン変換器）をそれぞれ示す。ピンアサイン変換器７Ａはスイッチャー３のタリー出力５のコネクタ形状やピンアサインなどがスイッチャー毎に異なるため，これらに対応できるようにしている。またピンアサイン変換はアナログスイッチと１チップマイクロコンピュータなどを用いると，スイッチャーの型式を選択又は変換情報をプリセットすることで，それぞれのピンアサイン変換を行うことが出来る機能を付加することも可能である。
【００１８】
ビデオカメラとビデオカメラ操作者の対応変換器７Ｂは，ビデオカメラとビデオカメラ操作者の対応表を構成する機能を有している。本説明は図８に示した実施例に関連するので，本内容に関しては図９に示すフローチャートと併せて後述する。
【００１９】
図７は情報表示装置２の詳細ブロック図である。図中，２Ａは表示制御部を，２Ｂは表示部を示す。１６は表示制御部２Ａに設置されたスイッチで，▲１▼，▲２▼及び▲３▼の番号はビデオカメラの番号と一対一の関係にあり，ビデオカメラ操作者が▲１▼を操作することにより，ビデオカメラ操作者がビデオカメラ「１」を選択したことを意味する。１７は表示部２Ｂの一事例で本例ではＬＥＤを示す。表示部２ＢのＬＥＤ１７は表示制御部２Ａで制御され，スイッチャーで選択されたビデオカメラの選択された表示部のＬＥＤを赤色点灯する。また，後述するが親機が子機に対して設定要求している時は赤色点滅する。なお，本実施例では表示部に１個のＬＥＤを使用した事例を示しているが，例えば，表示部に赤，青，緑のＬＥＤと複数のＬＥＤ表示制御部を用いることで，複数台のビデオカメラの撮影順番の表示など情報伝達等に応用可能である。
【００２０】
図８はビデオカメラの選択情報を表示する情報表示装置をビデオカメラ操作者が携帯した一事例を示す。本構成でも３台のビデオカメラの例を示している。なお，図２で説明した機能と同一のものには同一番号を付してる。図中，情報表示装置２Ａ，２Ｂ及び２Ｃと送受信機１０Ａ，１０Ｂ及び１０Ｃ（１１はそれぞれのアンテナ）からなる子機は，ビデオカメラ「１」；１Ａ，「２」；１Ｂ及び「３」；１Ｃとはそれぞれ分離された点が，前述した図２の構成と異なる。このように情報表示装置２と送受信機１０からなる子機をカメラと分離することで，前述の無線インカム方式と同様な使い方が出来るが，無線インカム方式では，情報伝達に音声を使用しているが，本方式ではスペクトラム拡散方式等のデータ通信を採用しているため，撮影現場の騒音が大きい場合でも，周囲の雑音の影響を受けることなく，情報を伝達できる。なお，本方式においても無線インカム方式と同様に音声伝送が可能であることは述べるまでもない。
【００２１】
図８において，スイッチャー３とビデオカメラ１Ａ〜１Ｃ間はビデオケーブル４でお互いに接続されている。一方，スイッチャー３のタリー出力５には，変換インターフェース７と送受信機８（９はアンテナ）からなる親機が接続されており，前述した子機間で通信を行い，スイッチャー３で切り換えたビデオカメラの情報（タリー出力）を親機の送受信機８から子機の送受信機１０に送信する。
【００２２】
図９は図８に示した本発明の概要説明において，親機がビデオカメラ操作者が操作するカメラ番号を認識するまでのフローチャートを示す。以下，図６に示した変換インターフェース７の詳細説明ブロック図及び図７に示した情報表示装置２の詳細ブロック図を参照し説明する。図８に示す変換インターフェース７と送受信機８（９はアンテナ）からなる親機のフローを図９の左側に，図８に示す情報表示装置２Ａ，２Ｂ及び２Ｃと送受信機１０Ａ，１０Ｂ及び１０Ｃ（１１はそれぞれのアンテナ）からなる子機のフローを右側にそれぞれ示す。
【００２３】
図９に示したフローチャートにおいて，図９のＡ）でカメラマンが操作するカメラ番号入力を促す信号を子機に送信する。Ｂ）では子機からの「ＡＣＫ」の有無を判別し，「ＡＣＫ」を受信すると，Ｃ）で子機からのデータ送信の有無を判別し，データがあった場合は，Ｄ）で親機のカメラ番号／カメラマン変換器にビデオカメラ操作者が操作するカメラ番号のデータ（例えば，カメラマン１がビデオカメラ「１」を，カメラマン２がビデオカメラ「２」を，カメラマン３がビデオカメラ「３」を操作する）をそれぞれ記憶する，Ｅ）ではＤ）記録したデータに重複がないか判定し，重複したデータがあるときは再度Ａ）でカメラマンが操作するカメラ番号入力を促す信号を子機に送信する。
【００２４】
子機では図９のＦ）で親機からカメラマンが操作するカメラ番号設定要求があった場合，Ｇ）で子機の表示装置の表示部（ＬＥＤ）を赤色点滅させて，カメラマンが操作するカメラ番号設定要求を一斉に行う。Ｈ）ではカメラマンがカメラ番号設定スイッチを操作すると，Ｉ）でカメラマンが設定したカメラ番号を記憶し，Ｊ）カメラマンの情報とカメラ番号のデータを親機に送信し，Ｋ）で子機の表示装置の表示部（ＬＥＤ）を赤色点滅を消灯させる。Ｈ）でカメラマンがカメラ番号設定スイッチを操作しなければ，Ｆ）Ｇ）Ｈ）をループしカメラ番号設定スイッチ操作を待機する。
【００２５】
本発明の他の実施例を図１０に示す。図２及図８で説明した機能と同一のものには同一番号を付してる。図２及図８に示したシステムでは，スイッチャー３とビデオカメラ１Ａ〜１Ｃ間はビデオケーブル４でお互いに接続されていたが，図１０に示した本発明の実施例では，無線通信機能を有したビデオカメラ１８Ａ，１８Ｂ及び１８Ｃとスイッチャー３のビデオ信号の無線通信ユニット２２追加することで，スイッチャー３と複数のビデオカメラ１Ａ〜１Ｃ間が全て無線方式で接続されるため，図８に示したシステムよりも更に機動性に富んだシステムを提供できる。なお，スイッチャー３と複数のビデオカメラ間の無線通信の説明は基本的な動作は図８及び図９での説明と同様であるので割愛する。
【００２６】
以上説明した実施例においては，親機の送受信機への入力はスイッチャーのタリー出力について説明したが，その他の応用例として，タリー出力と手動スイッチの併用あるいは手動スイッチの単独使用を行える方式も提案できる。
【００２７】
【発明の効果】
以上説明したように，本発明によると，スイッチャーとビデオカメラ間を無線方式にしたシステムと，更にスイッチャーとビデオカメラ間を無線方式にしたシステムを提供できるために，従来の有線方式のシステムに比べ，スイッチャーとビデオカメラ間のレイアウトの自由度及び機動性に富んだシステムを提供できる。
【図面の簡単な説明】
【図１】ビデオカメラ選択情報表示システムの従来例を示す。
【図２】本発明のビデオカメラ無線式選択情報表示システムの一実施例を示す。
【図３】本発明の親機及び子機のブロック図を示す。
【図４】本発明の送受信機を使用時の周波数帯域を示す。
【図５】本発明の概要説明のフローチャートを示す。
【図６】本発明の変換インターフェースの一例を示す。
【図７】本発明の情報表示装置の一例を示す。
【図８】本発明のビデオカメラ無線式選択情報表示システムの一実施例を示す。
【図９】本発明の概要説明のフローチャートを示す。
【図１０】本発明のビデオカメラ無線式選択情報表示システムの一実施例を示す。
【符号の説明】
１・・・ビデオカメラ
２・・・情報表示装置
３・・・スイッチャー
４・・・ビデオケーブル
５・・・タリー出力
６・・・接続ケーブル
７・・・変換インターフェース
８・・・送受信機（親機）
９・・・アンテナ（親機）
１０・・・送受信機（子機）
１１・・・アンテナ（子機）
１２・・・親機
１３・・・子機
１４・・・小電力通信周波数スペクトル
１５・・・スペクトル拡散方式の周波数スペクトル
１６・・・スイッチ
１７・・・ＬＥＤ（表示部）
１８・・・無線通信方式ビデオカメラ
１９，２０，２１・・・無線通信ビデオ子機
２２・・・無線通信ユニット
【図１】
2005012388.tif 000003
【図２】
2005012388.tif 000004
【図３】
2005012388.tif 000005
【図４】
2005012388.tif 000006
【図５】
2005012388.tif 000007
【図６】
2005012388.tif 000008
【図７】
2005012388.tif 000009
【図８】
2005012388.tif 000010
【図９】
2005012388.tif 000011
【図１０】
2005012388.tif 000012